(57)【要約】【課題】購入後に機能を追加することができる照明装置を提供する。【解決手段】照明装置１１０は、複数の照明機能に応じて制御可能な発光部１２０と、複数の照明機能のうち少なくとも一部の照明機能に応じて発光部１２０を制御するためのプログラムの要求を照明装置１１０がサーバに送信した場合に、要求に応じたプログラムをサーバ３００から受信する通信部１２５と、通信部１２５が受信したプログラムが記憶される、書き換え可能な記憶部１３０と、記憶部１３０に記憶されたプログラムを実行することにより当該プログラムに対応する照明機能に応じて発光部１２０を制御する制御部１３５とを備える。【選択図】図４
2015228322.tif 000002
【特許請求の範囲】
【請求項１】
照明装置であって、
複数の照明機能に応じて制御が可能な発光部と、
前記複数の照明機能のうち少なくとも一部の照明機能に応じて前記発光部を制御するためのプログラムの要求を前記照明装置がサーバに送信した場合に、前記要求に応じた前記プログラムを前記サーバから受信する通信部と、
前記通信部が受信した前記プログラムが記憶される、書き換え可能な記憶部と、
前記記憶部に記憶された前記プログラムを実行することにより当該プログラムに対応する前記照明機能に応じて前記発光部を制御する制御部とを備える
照明装置。
【請求項２】
前記通信部は、前記プログラムの前記要求を前記サーバに送信する
請求項１に記載の照明装置。
【請求項３】
さらに、前記照明装置の外部に設けられた入力装置からユーザのプログラムの選択を受け付ける受付部を備え、
前記通信部は、前記ユーザが選択した前記プログラムの前記要求を前記サーバに送信する
請求項２に記載の照明装置。
【請求項４】
さらに、ユーザのプログラムの選択を受け付ける入力装置を備え、
前記入力装置は、前記ユーザが選択した前記プログラムの前記要求を前記サーバに送信する
請求項１に記載の照明装置。
【請求項５】
前記複数の照明機能には、前記発光部の調色機能が含まれ、
前記発光部は、互いに色温度が異なる第一光源部および第二光源部を有することにより調色機能に応じて制御可能であり、前記制御部が前記記憶部に記憶された調色用の前記プログラムを実行することにより調色機能に応じて制御される
請求項１〜４のいずれか１項に記載の照明装置。
【請求項６】
照明装置の機能更新システムであって、
サーバと、前記照明装置とを備え、
前記照明装置は、
複数の照明機能に応じて制御可能な発光部と、
前記複数の照明機能のうち少なくとも一部の照明機能に応じて前記発光部を制御するためのプログラムの要求を前記照明装置がサーバに送信した場合に、前記要求に応じた前記プログラムを前記サーバから受信する通信部と、
前記通信部が受信した前記プログラムが記憶される、書き換え可能な記憶部と、
前記記憶部に記憶された前記プログラムを実行することにより当該プログラムに対応する前記照明機能に応じて前記発光部を制御する制御部とを備え、
前記サーバは、前記通信部から送信される前記要求に応じた前記プログラムを送信する
機能更新システム。
【請求項７】
前記サーバは、前記通信部に送信した前記プログラムに基づいて前記照明装置のユーザに対する課金額を決定する
請求項６に記載の機能更新システム。
【請求項８】
前記照明装置は、さらに、前記発光部の累積点灯時間を計測する計測部を備え、
前記通信部は、前記計測部が計測した累積点灯時間を示す情報を前記サーバに送信し、
前記サーバは、受信した前記情報が示す累積点灯時間に応じて異なる提示情報を前記照明装置に送信することにより、異なるプログラムを提示する
請求項６または７に記載の機能更新システム。
【請求項９】
前記サーバは、受信した前記情報が示す累積点灯時間が長いほど、前記発光部に供給される電流が小さいプログラムを提示する
請求項８記載の機能更新システム。
【請求項１０】
照明装置の制御方法であって、
前記照明装置は、
複数の照明機能に応じて制御可能な発光部と、
書き換え可能な記憶部とを備え、
前記制御方法は、
前記複数の照明機能のうち少なくとも一部の照明機能に応じて前記発光部を制御するためのプログラムの要求を前記照明装置がサーバに送信した場合に、前記要求に応じた前記プログラムを前記サーバから受信する通信ステップと、
前記通信ステップにおいて受信した前記プログラムを記憶する記憶ステップと、
前記記憶部に記憶された前記プログラムを実行することにより当該プログラムに対応する前記照明機能に応じて前記発光部を制御する制御ステップとを含む
照明装置の制御方法。
【発明の詳細な説明】
【技術分野】
【０００１】
本発明は、複数の照明機能に応じて制御が可能な照明装置、並びにその機能更新システムおよびその制御方法に関する。
【背景技術】
【０００２】
ＬＥＤ（Ｌｉｇｈｔ  Ｅｍｉｔｔｉｎｇ  Ｄｉｏｄｅ）等の固体発光素子は、小型、高効率かつ長寿命であることから、様々な製品の光源として期待されている。その中でも、近年、ＬＥＤを用いた照明装置の研究開発が進められている。
【０００３】
また、調光機能や調色機能などの様々な機能を有する照明装置が知られている（例えば、特許文献１および２参照）。
【先行技術文献】
【特許文献】
【０００４】
【特許文献１】特表２００８−５３７３０５号公報
【特許文献２】特表２００８−５３７３０７号公報
【発明の概要】
【発明が解決しようとする課題】
【０００５】
ところで、上記のような照明装置においては、ユーザは、所望の機能を備える照明装置を選択してから購入することが一般的である。
【０００６】
本発明は、購入後に機能を追加することができる照明装置、並びにその機能更新システムおよび制御方法を提供する。
【課題を解決するための手段】
【０００７】
本発明の一態様に係る照明装置は、照明装置であって、複数の照明機能に応じて制御が可能な発光部と、前記複数の照明機能のうち少なくとも一部の照明機能に応じて前記発光部を制御するためのプログラムの要求を前記照明装置がサーバに送信した場合に、前記要求に応じた前記プログラムを前記サーバから受信する通信部と、前記通信部が受信した前記プログラムが記憶される、書き換え可能な記憶部と、前記記憶部に記憶された前記プログラムを実行することにより当該プログラムに対応する前記照明機能に応じて前記発光部を制御する制御部とを備える。
【０００８】
本発明の一態様に係る機能更新システムは、照明装置の機能更新システムであって、サーバと、前記照明装置とを備え、前記照明装置は、複数の照明機能に応じて制御可能な発光部と、前記複数の照明機能のうち少なくとも一部の照明機能に応じて前記発光部を制御するためのプログラムの要求を前記照明装置がサーバに送信した場合に、前記要求に応じた前記プログラムを前記サーバから受信する通信部と、前記通信部が受信した前記プログラムが記憶される、書き換え可能な記憶部と、前記記憶部に記憶された前記プログラムを実行することにより当該プログラムに対応する前記照明機能に応じて前記発光部を制御する制御部とを備え、前記サーバは、前記通信部から送信される前記要求に応じた前記プログラムを送信する。
【０００９】
本発明の一態様に係る制御方法は、照明装置の制御方法であって、前記照明装置は、複数の照明機能に応じて制御可能な発光部と、書き換え可能な記憶部とを備え、前記制御方法は、前記複数の照明機能のうち少なくとも一部の照明機能に応じて前記発光部を制御するためのプログラムの要求を前記照明装置がサーバに送信した場合に、前記要求に応じた前記プログラムを前記サーバから受信する通信ステップと、前記通信ステップにおいて受信した前記プログラムを記憶する記憶ステップと、前記記憶部に記憶された前記プログラムを実行することにより当該プログラムに対応する前記照明機能に応じて前記発光部を制御する制御ステップとを含む。
【発明の効果】
【００１０】
本発明の一態様に係る照明装置、並びにその機能更新システムおよびその制御方法によれば、照明装置の購入後に機能を追加することができる。
【図面の簡単な説明】
【００１１】
【図１】図１は、実施の形態１に係る照明機能更新システムの概略構成を示すブロック図である。
【図２】図２は、実施の形態１に係る照明器具の外観を示す斜視図である。
【図３】図３は、実施の形態１に係る照明器具の分解斜視図である。
【図４】図４は、実施の形態１に係る照明装置の構成概要を示すブロック図である。
【図５】図５は、実施の形態１に係る照明装置のプログラム更新動作を説明するための概念図である。
【図６】図６は、ユーザが機能を選択するときの入力装置の表示画面の一例を示す図である。
【図７】図７は、実施の形態１に係る照明装置のプログラム更新動作のフローチャートである。
【図８】図８は、入力装置によるプログラムの要求を説明するための図である。
【図９】図９は、累積点灯時間に応じて変更されるプログラムのリスト（プログラムセット）を示す図である。
【発明を実施するための形態】
【００１２】
以下、実施の形態に係る照明装置について、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付しており、重複する説明は省略または簡略化される場合がある。
【００１４】
（実施の形態１）
［照明機能更新システムの概要］
まず、実施の形態１に係る照明機能更新システム（機能更新システム）の概要について説明する。図１は、実施の形態１に係る照明機能更新システムの概略構成を示すブロック図である。
【００１５】
照明機能更新システム１０は、複数の照明装置１１０、１１０ａ、および１１０ｂと、プログラム配信サーバ３００とを備える。なお、以下の説明では、照明装置１１０について詳細に説明されるが、他の照明装置１１０ａおよび１１０ｂについても同様の構成である。
【００１６】
照明装置１１０は、プログラム配信サーバ３００とインターネット４００を通じて通信可能な照明装置である。照明装置１１０は、複数の機能に対応するハードウェアと、ハードウェアを複数の機能に応じて動作させるための書き換え可能な記憶部とを備える点が特徴である。つまり、照明装置１１０は、機能がハードウェアとソフトウェアとの両方により実現される場合は、少なくとも当該機能に対応するハードウェアを備えている。
【００１７】
照明装置１１０が機能に応じて照明を行うためには、プログラム配信サーバ３００から配信される、当該機能に対応する、ハードウェアを動作させるためのソフトウェア（プログラム）が記憶部に記憶されていることが必須となる。つまり、照明装置１１０は、複数の機能に対応しているが、ユーザは、プログラムが記憶部に記憶されていない機能については利用することができない。
【００１８】
プログラム配信サーバ３００は、照明装置１１０のハードウェアを動作させるためのプログラムを配信するサーバである。プログラム配信サーバ３００は、例えば、照明装置１１０の製造メーカー等によって運用されるサーバである。
【００１９】
以上のような照明機能更新システムにおいては、照明装置１１０のユーザは、スマートフォンや、タブレット端末などの入力装置２０を用いて所望の機能（プログラム）を選択する。そうすると、選択されたプログラムがプログラム配信サーバ３００から照明装置に配信され、配信されたプログラムは、照明装置内の記憶部に記憶される。これにより、ユーザは、配信されたプログラムに対応する照明装置１１０の機能を利用することができる。
【００２０】
なお、実施の形態１では、図１に示されるように、入力装置２０は、インターネット４００に接続可能な機器として説明されるが、入力装置２０は、照明装置１１０のリモコンなど、インターネットに接続できない機器であってもよい。
【００２１】
［照明器具の全体構成］
次に、実施の形態１に係る照明装置を備える照明器具について、図２および図３を用いて説明する。図２は、実施の形態１に係る照明器具の外観を示す斜視図である。図３は、実施の形態１に係る照明器具の分解斜視図である。
【００２２】
図２および図３に示されるように、実施の形態１に係る照明器具１００は、照明装置１１０と、器具本体２００とを備える。
【００２３】
器具本体２００は、照明器具１００のベースとなる部材であり、例えばボルトおよびナット等により天井に固定される。器具本体２００は、照明装置１１０が埋設される凹部２１０を有し、例えば照明装置１１０が有する金具（図示せず）が、凹部２１０の内面に形成された孔と係合することで、照明装置１１０が器具本体２００に着脱可能に取り付けられる。
【００２４】
なお、照明装置１１０を器具本体２００に着脱可能に取り付けられるのであれば、当該取り付けの手法として各種の手法を採用し得る。例えば、ネジ等の締結部材によって照明装置１１０が器具本体２００に取り付けられてもよい。
【００２５】
また、器具本体２００から延設された電線の端部にコネクタ２７０が設けられており、照明装置１１０から延設された電線の端部にコネクタ１７０が設けられている。これらコネクタ２７０とコネクタ１７０とが嵌め合わされることで、器具本体２００から照明装置１１０に、照明装置１１０の発光に必要な電力が供給される。
【００２６】
なお、実施の形態１では、照明装置１１０の点灯、消灯および調光等の操作は、入力装置２０を通じて行われるが、壁に設置された操作パネルから操作が行われてもよい。このような場合、操作パネルと照明装置１１０との間の信号のやり取りのための制御線が照明装置１１０に接続される。
【００２７】
照明装置１１０は、照明光を放出する発光部１２０と、発光部１２０を覆うカバー部材１８０とを有する。
【００２８】
発光部１２０は、互いに発光色（色温度）が異なる複数の種類の光源を有し、調光制御（明るさの制御）および調色制御（発光色の制御）が可能な発光モジュールである。実施の形態１では、発光部１２０の光源（発光素子）としてＬＥＤ素子が採用されている。発光部１２０の制御の例などの照明装置１１０の詳細については、図２〜図５を用いて後述する。
【００２９】
カバー部材１８０は、発光部１２０から発せられた光を透過させる部材である。カバー部材１８０は、例えば、透明なガラスまたは樹脂で形成される。また、実施の形態１では、カバー部材１８０は、発光部１２０から発せられた光を拡散する機能を有している。例えば、シリカもしくは炭酸カルシウムなどの光拡散材（微粒子）を含有する樹脂または白色顔料を、カバー部材１８０の内面または外面に付着させることで、乳白色の光拡散膜がカバー部材１８０に形成される。
【００３０】
また、カバー部材１８０そのものが、光拡散材が分散された樹脂材料等を用いて成形されてもよい。
【００３１】
なお、カバー部材１８０が光を拡散する機能を有することは必須ではなく、カバー部材１８０は、カバー部材１８０の外部から内部を視認可能な程度に透明であってもよい。
【００３２】
［照明装置の構成］
次に、実施の形態１に係る照明装置１１０の基本的な構成について、図４を用いて説明する。図４は、実施の形態１に係る照明装置１１０の構成概要を示すブロック図である。
【００３３】
図４に示されるように、照明装置１１０は、受付部１４０と、発光部１２０と、通信部１２５と、記憶部１３０と、制御部１３５と、タイマ部１４５と、センサ部１５０と、計測部１５５と、出音部１６０とを備える。
【００３４】
受付部１４０は、照明装置１１０の外部から送信される所定の指示を受け付ける。具体的には、各種の指示に対応する各種の信号が外部の装置から有線または無線で送信され、受付部１４０によって受信される。受付部１４０は、例えば、入力装置２０からユーザのプログラムの選択（選択を表す信号）を受け付ける。受付部１４０は、例えば、少なくとも信号の受信が可能な受信機によって実現される。
【００３５】
上述のように、実施の形態１では、受付部１４０に各種の信号を送信する入力装置２０は、スマートフォンやタブレット端末等の携帯端末である。しかしながら、入力装置２０は、照明装置１１０の電源のオンおよびオフ（点灯および消灯）を行うための電源スイッチおよび赤外線によって信号を送信する専用のリモコンであってもよい。また、入力装置２０は、点灯または消灯のためのスイッチ等を備える操作パネルであって、照明器具１００が設置された部屋の壁に取り付けられる操作パネルなどであってもよい。このように、入力装置２０は、照明装置１１０に対して指示を行えるコントローラであればどのような形態でも構わない。また、入力装置２０は、さらに、照明装置１１０の状態を問い合わせる機能を有していても構わない。
【００３６】
発光部１２０は、複数の照明機能に応じて制御可能な発光部である。発光部１２０が対応する複数の機能の各々については後述するが、例えば、実施の形態１では、発光部１２０は、調色機能に対応している。
【００３７】
発光部１２０は、色温度が互いに異なる２種類の光源部（第一光源部１２０ａおよび第二光源部１２０ｂ）を有する。発光部１２０において、第一光源部１２０ａおよび第二光源部１２０ｂそれぞれの光出力のバランスが変更されることで、発光部１２０から放出される光の色温度が変更される。例えば、第一光源部１２０ａは、色温度が３，５００Ｋの複数のＬＥＤから構成され、第二光源部１２０ｂは、色温度が６，５００Ｋの複数のＬＥＤから構成される。つまり、実施の形態１における発光部１２０では、３，５００Ｋから６，５００Ｋまでの間で色温度の変更が可能である。なお、上記光出力のバランスの変更は、制御部１３５によって第一光源部１２０ａおよび第二光源部１２０ｂへの供給電流が制御されることにより行われる。
【００３８】
実施の形態１では、通信部１２５は、複数の照明機能のうち少なくとも一部の照明機能に応じて発光部１２０を制御するためのプログラムの要求をプログラム配信サーバ３００に送信する。また、通信部１２５は、上記要求に応じたプログラムをプログラム配信サーバ３００から受信する。
【００３９】
通信部１２５は、例えば、インターネット４００を通じてプログラム配信サーバ３００と通信するための通信モジュールである。
【００４０】
なお、通信部１２５と、プログラム配信サーバ３００との間には、実際には、モデムや、ルータ、中継サーバなどの通信装置が存在する。つまり、単に「通信部１２５がプログラム配信サーバ３００に情報を送信する」と記載される場合には、他の通信装置を介しての送信が含まれる。受信についても同様である。
【００４１】
また、無線ＬＡＮルータによって、入力装置２０と照明装置１１０とが接続される場合、受付部１４０と、通信部１２５とは一の無線モジュールで構成できる。つまり、受付部１４０と、通信部１２５とは必ずしも別個に設けられる必要はない。
【００４２】
記憶部１３０は、通信部１２５が受信したプログラムが記憶される、書き換え可能な（不揮発性の）記憶装置である。記憶部１３０としては、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリが採用される。なお、記憶部１３０は、制御部１３５内に設けられてもよい。
【００４３】
制御部１３５は、記憶部１３０に記憶されたプログラムを実行することにより当該プログラムに対応する照明機能に応じて発光部１２０を発光させる。制御部１３５は、具体的には受付部１４０によって受け付けられた指示（信号）に従って記憶部１３０内のプログラムを実行する。この結果、制御部１３５は、発光部１２０の点灯、消灯、調光（明るさの調整）、および調色（発光色（色温度）の調整）等の動作を制御する。
【００４４】
制御部１３５は、例えば、入力された信号に応じて発光部１２０に供給する電流値等を制御するマイクロコンピュータ、プロセッサ、または専用回路によって実現される。
【００４５】
タイマ部１４５は、制御部１３５に時刻および日付を通知する計時部である。タイマ部１４５は、具体的には、いわゆるリアルタイムクロックなどのクロック回路（汎用のタイマＩＣなど）である。
【００４６】
センサ部１５０は、対象のセンシング（検出）を行う。センサ部１５０は、具体的には、赤外線を検出する、いわゆる人感センサモジュールである。なお、センサ部１５０は、赤外線を検出する構成に限定されない。例えば、センサ部１５０は、センサ部１５０の周辺の照度、音、温度などを検出してもよい。この場合、センサ部１５０には、既存の照度センサ、音センサ、温度センサなどが適用できる。また、センサ部１５０は、振動、ユーザのモーション（ユーザのジェスチャ）などを検出してもよい。
【００４７】
計測部１５５は、発光部１２０の累積点灯時間を計測する。計測部１５５は、例えば、照明装置１１０が備える電源部（図示せず）に組み込まれたマイコンによって実現されるが、制御部１３５の一機能として実現されてもよい。実施の形態１では、計測部１５５が計測する累積点灯時間は、記憶部１３０に記憶されるが、累積点灯時間は、記憶部１３０とは別の記憶部に記憶されてもよい。
【００４８】
出音部１６０は、制御部１３５の制御に基づいて、アラーム音等を出力する。出音部１６０は、例えば、ブザーやスピーカ等である。
【００４９】
［照明装置の機能］
次に、このような構成の照明装置１１０が対応している機能について説明する。
【００５０】
照明装置１１０は、発光部１２０の点灯・消灯機能に対応している。点灯・消灯機能は、制御部１３５が、発光部１２０への電流の出力をオン・オフすることによって実現される。
【００５１】
また、照明装置１１０は、発光部１２０の調光および調色機能に対応している。調光機能は、制御部１３５が発光部１２０への電流の出力を増減させることにより実現される。また、調色機能は、制御部１３５が発光部１２０に含まれる２種類の光源部それぞれに対する供給電流のバランスを変更することで実現される。なお、制御部１３５の発光部１２０への供給電流の増減は、例えば、ＰＷＭ制御などにより行われる。
【００５２】
照明装置１１０は、センサ部１５０のセンシング（検出結果）に基づいて発光部１２０を点灯または消灯させる機能に対応している。例えば、上述のように、センサ部１５０がいわゆる人感センサである場合には、制御部１３５は、センサ部１５０が人を検出してから所定時間、発光部１２０を点灯させる。
【００５３】
照明装置１１０は、タイマ部１４５から取得した時刻情報に基づいて発光部１２０を点灯または消灯させる機能に対応している。例えば、制御部１３５は、ユーザにより入力装置２０を通じて設定された時刻や時間帯（例えば、ユーザの起床時刻など）に発光部１２０を点灯または消灯させる。
【００５４】
照明装置１１０は、遠隔操作機能に対応している。遠隔操作機能は、例えば、ユーザが外出先から入力装置２０を通じて照明装置１１０を制御する機能である。この場合、照明装置１１０の制御部１３５は、入力装置２０から通信部１２５を通じて（インターネット４００を通じて）得られる指示に基づき、発光部１２０を制御する。
【００５５】
また、遠隔操作機能には、例えば、外部サーバ等により発光部１２０が自動制御される機能が含まれる。このような構成においては、ユーザの照明装置１１０の操作は不要となる。
【００５６】
照明装置１１０は、メッセージ通知機能に対応している。メッセージ通知機能は、過電流などの異常検知がされた場合（発光部１２０に流れる電流が所定値を超える場合）や、電気代がオーバーしている場合（電気代が所定の金額を超える場合）等に、出音部１６０からブザー音を発したり、出音部１６０からメッセージを通知したりする機能である。
【００５７】
出音部１６０からメッセージが通知される場合、メッセージの情報（出音される音声の情報）は、あらかじめ記憶部１３０に記憶されている。なお、過電流などの異常検知は、制御部１３５によって行われてもよいし、過電流検知専用のＩＣ等、制御部１３５とは別の構成要素によって行われてもよい。また、電気代の情報については、電力会社のサーバからインターネット４００を通じて取得されてもよいし、室内の電力メータ（スマートメータ）から有線または無線の通信によって取得されてもよい。
【００５８】
なお、上述の機能は、照明装置１１０が対応する機能の一例である。照明装置１１０は、その他の機能に対応していてもよい。
【００５９】
例えば、照明装置１１０は、ネットワークスピーカとして機能してもよい。照明装置１１０は、具体的には、出音部１６０から音楽を流す機能（スピーカ機能）に対応していてもよい。また、照明装置１１０は、香りを発する機能などの付加的な機能に対応していてもよい。
【００６０】
また、例えば、照明装置１１０は、基準となる供給電流（例えば、標準設定時の調光比）を高める機能（パワーアップ機能）に対応していてもよい。また、照明装置１１０は、サーカディアンリズムなどを考慮して一日の時間帯によって調光比を自動で調整する機能に対応していてもよい。また、発光部１２０の輝度を抑えた省エネルギー制御や、発光部１２０の発光色を自動で切り替える演出制御など、各種の供給電流（調光比）の制御機能に対応していてもよい。このような機能は、制御部１３５が記憶部１３０に記憶されたプログラムにしたがって発光部１２０への供給電流を調整することで実現される。
【００６１】
［照明装置の動作］
次に、このような複数の機能に対応した照明装置１１０のプログラム更新動作について説明する。図５は、実施の形態１に係る照明装置１１０のプログラム更新動作を説明するための概念図である。図５では、白丸が付された機能は、当該機能に対応するプログラムが記憶部１３０に実行可能な状態で記憶されていることを意味する。つまり、白丸が付された機能は有効であることを意味する。また、黒丸が付された機能は、当該機能に対応するプログラムが記憶部１３０記憶されていない（または、記憶はされているが実行可能な状態でない）ことを意味する。つまり、黒丸が付された機能は無効になっていることを意味する。
【００６２】
上述のように、照明装置１１０のハードウェア（発光部１２０）は、図５に示されるいずれの機能も実行可能に構成されている。しかしながら、図５の（ａ）に示されるように、照明装置１１０は、例えば、点灯・消灯機能のみが有効な状態で販売（出荷）される。つまり、記憶部１３０には、一部の機能（点灯・消灯機能）に対応したプログラムのみが実行可能な状態で記憶されている。
【００６３】
ユーザは、照明装置１１０を購入後、入力装置２０を通じて追加したい機能（プログラム）を選択する。図６は、ユーザが機能を選択するときの入力装置２０の表示画面の一例を示す図である。図６に示されるように、入力装置２０の表示部２１には、例えば、機能と、当該機能に対応するプログラムをダウンロードした場合の金額とが対応づけられた画面が表示される。
【００６４】
ユーザの機能の選択後、記憶部１３０には、選択した機能に対応するプログラムがプログラム配信サーバ３００からダウンロード（記憶）される。図５の（ｂ）では、一例として、上述の点灯・消灯機能に加えて、調光機能、調色機能、および遠隔操作機能が選択され、これらに対応するプログラムが記憶部１３０に記憶される。
【００６５】
そして、プログラム配信サーバ３００は、通信部１２５に送信したプログラムに基づいて（ダウンロードされたプログラムに基づいて）、照明装置１１０のユーザに対する課金額を決定する。図６に示されるようにプログラムごとに金額が定められている場合は、プログラムごとの金額の合計金額が課金額として決定される。
【００６６】
以下、プログラム更新動作の詳細について、フローチャートを用いて説明する。図７は、照明装置１１０のプログラム更新動作のフローチャートである。
【００６７】
まず、受付部１４０は、入力装置２０からユーザの入力、つまり、機能（プログラム）の選択を受け付ける（Ｓ１１）。具体的には、ユーザは、入力装置２０の表示部２１に表示される表示画面（例えば、図６に示されるような表示画面）から所望の機能を選択し、受付部１４０は、ユーザが選択した機能を特定する情報をユーザの入力として受け付ける。
【００６８】
次に、制御部１３５は、ユーザの入力により特定される機能に対応するプログラムの要求を通信部１２５に送信させる（Ｓ１２）。プログラム配信サーバ３００は、要求に応じたプログラムを配信し、通信部１２５は、配信されたプログラムを受信する（Ｓ１３）。
【００６９】
通信部１２５が受信したプログラムは、制御部１３５によって記憶部１３０に記憶される（Ｓ１４）。この結果、制御部１３５は、記憶部１３０に記憶されたプログラムを実行することにより（Ｓ１５）、上述のような様々な機能に応じて発光部１２０を制御することができる。
【００７０】
以上説明したように、実施の形態１に係る照明機能更新システム１０によれば、照明装置１１０のユーザは、事後的に所望の機能を照明装置１１０に追加することができる。
【００７１】
なお、ユーザは、照明装置１１０の機能を削除することも可能である。例えば、入力装置２０の表示部２１に表示されるプログラム削除画面（図６に類似する表示画面）からユーザが削除指示を行うことで、制御部１３５が記憶部１３０内のプラグラムの削除を行う。また、上記のような削除指示に基づいて、削除対象の機能の利用が無効化されたプログラムがプログラム配信サーバ３００から配信され、記憶部１３０内のプログラムが上書きされてもよい。また、あらかじめ記憶部１３０に機能削除用のプログラムが記憶され、機能削除用のプログラムを動作させるための情報がプログラム配信サーバ３００から配信されることにより、機能が削除されてもよい。
【００７２】
また、実施の形態１に係る入力装置２０は、照明装置１１０と通信することにより、照明装置１１０に記憶されているプログラムや、照明装置１１０が備えている機能を知ることができる。そして、入力装置２０は、照明装置１１０に提供できる機能をプログラム配信サーバ３００に問い合わせ、その結果と照明装置１１０が備えている機能とを合わせて表示画面に一覧として表示することができる。なお、入力装置２０は、機能追加可能な機能の一覧のみを表示しても構わず、また、機能削除可能の機能の一覧のみを表示しても構わない。
【００７３】
［変形例１］
上記実施の形態１では、通信部１２５がプログラム配信サーバ３００へのプログラムの要求を行ったが、プログラムの要求は、入力装置２０によって行われてもよい。図８は、入力装置２０によるプログラムの要求を説明するための図である。
【００７４】
図８の（ａ）は、既に説明した実施の形態１の構成を説明するための図である。上述のように、実施の形態１に係る照明機能更新システム１０では、入力装置２０からの指示（Ｓ２１）を受けた通信部１２５がプログラム配信サーバ３００へプログラムの要求を行う（Ｓ２２）。この結果、プログラム配信サーバ３００から照明装置１１０にプログラムが配信される（Ｓ２３）。
【００７５】
これに対し、図８の（ｂ）は、プログラムの要求が入力装置２０によって行われる照明機能更新システム１０ａを示す図である。照明機能更新システム１０ａでは、ユーザのプログラム（機能）の選択を受け付けた入力装置２０がプログラム配信サーバ３００へプログラムの要求を行う（Ｓ３１）。このとき、プログラムの要求には、照明装置１１０のＩＤなど、照明装置１１０を識別することができる情報であって照明装置１１０にプログラムを配信するための情報が含まれる。この結果、プログラム配信サーバ３００から照明装置１１０にプログラムが配信される（Ｓ３２）。
【００７６】
このような照明機能更新システム１０ａにおいても、事後的に機能を追加または削除できる照明装置１１０が実現される。
【００７７】
［変形例２］
上記実施の形態１では、プログラム配信サーバ３００は、プログラムごとに定められた金額の合計を課金額として決定したが、課金額は他の方法によって決定されてもよい。
【００７８】
例えば、各プログラムの金額が一定である場合、プログラム配信サーバ３００は、ダウンロードされた（記憶部１３０に記憶された）プログラムの数に応じて課金額を決定してもよい。
【００７９】
例えば、各プログラムの金額が、所定期間ごと（例えば、１ヶ月ごと）に定められた金額である場合、プログラム配信サーバ３００は、所定期間ごとに課金額を決定してもよい。より具体的には、プログラム配信サーバ３００は、（ダウンロードの回数に関係なく）所定期間において照明装置１１０で利用可能な機能に応じて課金額を決定してもよい。
【００８０】
照明装置１１０が販売ではなくレンタルされる場合が想定されるが、このような場合、上記のように所定期間（契約期間）ごとに課金額が決定される。
【００８１】
［変形例３］
上記実施の形態１では、プログラム配信サーバ３００は、入力装置２０の表示部２１にプログラム配信サーバ３００から提供可能なプログラム（機能）のリスト（例えば、図６）を表示させる。具体的には、プログラム配信サーバ３００は、プログラムを提示（ここでは表示）するための提示情報を照明装置１１０に送信する。
【００８２】
ここで、入力装置２０の表示部２１に表示されるプログラムのリストは、照明装置１１０の使用状態によって変更されてもよい。つまり、上記提示情報は、照明装置１１０の使用状態に応じて提示の対象となるプログラムが異なる情報であってもよい。
【００８３】
例えば、入力装置２０の表示部２１に表示されるプログラムのリストは、照明装置１１０の発光部１２０の累積点灯時間に応じて変更されてもよい。図９は、累積点灯時間に応じて変更されるプログラムのリスト（プログラムセット）を示す図である。なお、プログラムセットとは複数のプログラムから構成されるプログラムの組合せを意味する。
【００８４】
図９に示されるように、プログラム配信サーバ３００内には、累積点灯時間と、提示の対象となるプログラムセットとが対応付けられ、テーブルとして記憶されている。例えば、累積点灯時間が０ｈ以上１０，０００ｈ未満の場合は、プログラムセットＡが提示の対象となり、累積点灯時間が１０，０００ｈ以上２０，０００ｈ未満の場合は、プログラムセットＢが提示の対象となる。以降、同様に累積点灯時間とプログラムセットとが対応付けられている。
【００８５】
累積点灯時間が長い照明装置１１０（発光部１２０）を長持ちさせるためには、発光部１２０の輝度を低下させる必要がある。そこで、上記テーブルでは、累積点灯時間が長い照明装置１１０ほど、発光の基準となる供給電流（調光比）が低く設定されたプログラムセットに対応付けられている。つまり、プログラム配信サーバ３００は、累積点灯時間が長いほど、発光部１２０に供給される電流が小さいプログラムを提示する。これにより、照明装置１１０の寿命を長持ちさせることができる。
【００８６】
ところで、累積点灯時間が長い照明装置１１０ほど、輝度が低下する傾向にある。そこで、上記テーブルでは、累積点灯時間が長い照明装置１１０ほど、基準となる供給電流（調光比）が高く設定されたプログラムセットに対応付けられていてもよい。これにより、発光部１２０の輝度を高める（発光部１２０の輝度を累積点灯時間が短いものに近づける）ことができる。
【００８７】
プログラム配信サーバ３００は、上記のようなテーブルを用い、以下のような動作を行う。まず、プログラム配信サーバ３００は、発光部１２０の累積点灯時間を示す情報を照明装置１１０から受信する。次に、プログラム配信サーバ３００は、受信した情報が示す累積点灯時間に応じたプログラムセットを上記テーブルに基づいて決定する。そして、プログラム配信サーバは、決定したプログラムセットを入力装置２０の表示部２１に表示するための情報（提示情報）を入力装置２０に送信する。
【００８８】
なお、累積点灯時間は、照明装置１１０が備える計測部１５５によって測定され、記憶部１３０に記憶されている。したがって、累積点灯時間を示す情報は、典型的には、通信部１２５によってプログラム配信サーバ３００に送信されるが、入力装置２０によって送信されてもよい。累積点灯時間を示す情報が入力装置２０によって送信される場合、入力装置２０は、事前に照明装置１１０から累積点灯時間を取得しておくこととなる。
【００８９】
なお、累積点灯時間の経過に伴い、発光部１２０の標準の色度（色温度）が変化する場合は、プログラム配信サーバ３００は、色温度を累積点灯時間の短いものに近づけるために、発光部１２０（２つの光源部）の標準の色温度の補正用のプログラムを提示してもよい。
【００９０】
以上のように、プログラム配信サーバ３００は、受信した情報が示す累積点灯時間に応じて異なる提示情報を照明装置１１０に送信することにより、異なるプログラムを提示してもよい。
【００９１】
（他の実施の形態）
以上、実施の形態１に係る照明機能更新システム１０および照明装置１１０について説明したが、本発明は、このような実施の形態に限定されるものではない。
【００９２】
例えば、記憶部１３０に記憶されるプログラムの書き換えは、どのような態様で行われてもよい。例えば、記憶部１３０内のプログラムの全体が書き換えられることによって機能の追加または削除が行われてもよいし、部分的なプログラム（アプリケーション）の追加または削除によって機能の追加または削除が行われてもよい。
【００９３】
また、通信部１２５が受信し、記憶部１３０に記憶されるプログラムには、プログラムの一部を構成する情報が含まれる。上記プログラムには、例えば、パラメータ（例えば、調光や調色のためのパラメータ）や、既に記憶部１３０に記憶されたプログラムを有効または無効にするための情報が含まれる。つまり、照明装置１１０においては、このような情報が用いられることにより機能が追加または削除されてもよい。
【００９４】
また、上記実施の形態１で説明した第一光源部１２０ａおよび第二光源部１２０ｂのそれぞれが有する１以上の発光素子は、ＬＥＤ素子に限定されない。第一光源部および第二光源部は、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を有してもよい。
【００９５】
なお、上記実施の形態１および各変形例において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９６】
また、上記各実施の形態１において、特定の処理部が実行する処理を別の処理部が実行してもよい。また、複数の処理の順序が変更されてもよいし、複数の処理が並行して実行されてもよい。例えば、計測部１５５は、制御部１３５の一機能として実現されてもよい。
【００９７】
なお、本発明の包括的または具体的な態様は、システム、方法、集積回路、コンピュータプログラムまたはコンピュータ読み取り可能なＣＤ−ＲＯＭなどの記録媒体で実現されてもよい。また、本発明の包括的または具体的な態様は、システム、方法、集積回路、コンピュータプログラムまたは記録媒体の任意な組み合わせで実現されてもよい。例えば、本発明は、照明装置の制御方法や、ビジネスモデル（レンタル方法および課金方法）として実現されてもよい。
【００９８】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【００９９】
１０、１０ａ  照明機能更新システム（機能更新システム）
２０  入力装置
１１０、１１０ａ、１１０ｂ  照明装置
１２０  発光部
１２０ａ  第一光源部
１２０ｂ  第二光源部
１２５  通信部
１３０  記憶部
１３５  制御部
１４０  受付部
１５５  計測部
３００  プログラム配信サーバ（サーバ）
【図１】
2015228322.tif 000003
【図２】
2015228322.tif 000004
【図３】
2015228322.tif 000005
【図４】
2015228322.tif 000006
【図５】
2015228322.tif 000007
【図６】
2015228322.tif 000008
【図７】
2015228322.tif 000009
【図８】
2015228322.tif 000010
【図９】
2015228322.tif 000011